(57)【要約】【課題】空気抜きをするとアコーデオン状に折り畳みできて開閉操作に優れる温室のカーテン構造を提供すること。【解決手段】カーテン本体を構成する二枚のフィルムの夫々に無数の微細孔を形成し、重ね合わせた二枚のフィルムの縦横方向に多数の結合部を備えて気体導入時に結合部個所が凹陥部となりカーテン本体が均一に膨隆する。【選択図】図２
2010029166.tif 000002
【特許請求の範囲】
【請求項１】
二枚のフィルムの周縁を密閉し内部に気体を送り込むことで全体が膨隆状となる温室のカーテン構造であって、カーテン本体を構成する二枚のフィルムの夫々に無数の微細孔が形成され、重ね合わせた二枚のフィルムの縦横方向に多数の結合部を備え、気体導入時に結合部個所が凹陥部となりカーテン本体が均一に膨隆することを特徴とする温室のカーテン構造。
【請求項２】
カーテン本体の膨隆時に二枚のフィルムに形成された内外凹陥部の相対個所が離間するものであることを特徴とする請求項１記載の温室のカーテン構造。
【請求項３】
カーテン本体の膨隆時に二枚のフィルムに形成された内外凹陥部の相対個所が密接するものであることを特徴とする請求項１記載の温室のカーテン構造。
【発明の詳細な説明】
【技術分野】
【０００１】  本発明は、開閉操作が容易で保温性に優れる温室のカーテン構造に関する。
【背景技術】
【０００２】  温室で栽培する植物を良好な環境のもとに育成するには室内の温度調整が重要になる。そのために所定の温度が保たれるように温室の天井等に二重の上下フィルムからなるマット状物を形成し、その中に空気を送り込んで膨らませることで保温を必要とするときに室内の温度が妄りに逃げないように考慮したカーテン装置が種々提案されている（例えば特許文献１〜３参照）。
【特許文献１】特開昭５１−４５０３３号公報
【特許文献２】特開２００４−１４１０１７号公報
【特許文献３】特開２００７−２０４９２号公報
【発明の開示】
【発明が解決しようとする課題】
【０００３】  特許文献１のものは周囲をヒートシールした二重構造のフィルムを用いて屋根や壁面側に設置する技術として従前から知られている。この技術は上下のフィルムから成る二重フィルムに気体を内包し、風船のように膨らんだ気体層を天井等に張設して温室内を保温するものである。二重フィルムはポリエチレン、塩化ビニールなどからなる単体を二枚重ね合わせたもので、注入口より気体を送り込んで全体が膨らむようになっている。この技術は一枚若しく扁平な二枚構造のものと異なり、内部に注入した気体の圧力で上下二枚のフィルム間に間隔が生じて二重壁が構成される点ではそれなりの保温性も維持できると考えられるが、当然ながら気体を入れたことにより中央部分の膨らみが大きくなるので大型ハウスに実施するには不向きであり、また膨らみが大きくなる個所の空気圧が大となって衝撃などが加わると風船のように切破しやすいといった問題、及び空気を抜くと内部に水分が残るのとフィルムを開方向に動かして収縮する時にバランス良く折り畳みできないという欠点がある。【０００４】  而してフィルムの内部に空気を送り込んで全体を膨らませる点では特許文献２に記載の技術も上記特許文献１と共通する。この技術はフィルム被覆作業が容易で送風弁取り付けに足場を組んだり厄介な作業を必要とすることなく従来の温室に取り付けできるという作業面での良好な効果が得られることを所期したものであり、フィルム自体の構造は中央部を特に膨隆状としてはいないが、張設状態から収縮させるときの動き、なかんずく空気抜きをすると、内部に生起した水分によって二枚のフィルムが密着しスムースな動きができず整然とした折り畳みが難しいといった不具合の生ずることが憂慮される。【０００５】  更には特許文献３のように温室の天井と側壁内側にエアマットを面状に取り付けたことで温熱が室外から外部へ逃げるのを防止した技術もあるが、これは天井側と側壁側に隙間なくエアマットを敷き詰めるというものであり、エアマットにはあらかじめ空気を入れてあり、それらを順序よく敷き詰めることで全体が構成されるというものであるから、敷き詰め作業に多大な労力を要するとともに、一旦敷き詰めたエアマットは簡単には折り畳みできず、室内の換気操作も容易にできない等の矛盾をはらんでいる。【０００６】  本発明はこのような従来技術とは異なるもので、内部に気体を送り込む手段を採用するが、全体が体操マット状に平均的に膨隆するとともに折り畳み・伸長操作が確実迅速になされ、室内の温熱を効果的に取り込んで植物育成に良好な環境を具現できるところの温室のカーテン構造を提供しようとするものである。
【課題を解決するための手段】
【０００７】  すなわち本発明は、二枚のフィルムの周縁を密閉し内部に気体を送り込むことで全体が膨隆状となる温室のカーテン構造であって、カーテン本体を構成する二枚のフィルムの夫々に無数の微細孔が形成され、重ね合わせた二枚のフィルムの縦横方向に多数の結合部を備え、気体導入時に結合部個所が凹陥部となりカーテン本体が均一に膨隆することを特徴とするものである。【０００８】  カーテン本体の膨隆時に二枚のフィルムに形成された内外凹陥部の相対個所が離間するものであることを特徴とする。【０００９】  カーテン本体の膨隆時に二枚のフィルムに形成された内外凹陥部の相対個所が密接するものであることを特徴とする。
【発明の効果】
【００１０】  カーテン本体に気体を送り込むと、二枚のフィルムの結合部個所に多数の凹陥部が形成されてカーテン本体は全体が均一な膨らみを持つ体操マット状となり、本体全体に気体は平等に行き渡り、したがって温室の天井側や側壁寄りにカーテン本体を配置すると室内温熱が外部に漏れ出ることがなく室内を適温に保つことができて温室内の植物の育成に好適な環境とすることができる。【００１１】  二枚のフィルムには無数の微細孔が形成されているためカーテン本体からは若干の気体が漏出するものの、本体内に送られた送気量は微細孔から漏出するものよりもはるかに大きいためカーテン本体の膨隆状態に変化はなく、カーテン本体内の空気層により室内が十分に保温される。そして微細孔よりわずかに放出される気体によって通気機能が働き、本体内の水分の発生は抑えられ、それゆえカーテン本体を空気抜きして収縮するとき二枚のフィルムは相互に付着することがないのでスムースに可動する。【００１２】  カーテン本体は膨隆時に結合部個所が凹陥部となっているため全体を収縮する際に凹陥部が恰も折り目の機能を発揮するのでカーテン本体がアコーデオン状に折り畳まれる。このため従来品のように不規則な収縮をするのと異なり確実迅速に操作でき、無理な作動をしないため製品の寿命を維持でき、また収縮時だけでなくカーテン本体を伸長して室内を閉じる場合にもスムースに作動する。
【発明を実施するための最良の形態】
【００１３】  図面を参照して本発明の形態を説明すると、図１は農業用フィルムからなる同形の二枚のフィルム１０・１０を示したもので、夫々のフィルム１０・１０には無数の微細孔１１が形成されている。この微細孔１１は直径が２ｍｍ程度で、縦横方向に１０ｃｍ程度の間隔で配置されている。両フィルム１０・１０は周縁をヒートシールされることで密閉状となり、注入口（不図示）より気体を取り込むと膨らむようになっている。【００１４】  図２は重ね合わせた二枚のフィルム１０・１０が結合部３０を備えてカーテン本体２０を構成した状態を示す。すなわち（ａ）は気体を送る前の扁平状のカーテン本体２０であって、結合部３０は（ｂ）のように合成樹脂の棒状体３１の両端屈曲片３２をフィルム１０・１０の各内面に貼り付け、屈曲片３２を接着体３３で固着するとしたり、（ｃ）のように棒状体３４の両端に掛止片３５を形成し、この掛止片３５を両フィルム１０・１０の各外面に貼着した円形の補強片３６の外面に配置することで構成されるが、上記結合部３０は一例であり、要はフィルム１０・１０同士を所定の間隔で連繋するか、図示はしないが二枚のフィルムを溶着で密接させる形式の結合部とすることもできる。【００１５】  図３は気体を送り込んでカーテン本体２０を膨隆させた例を示したもので、結合部３０にはフィルム１０・１０の内外に凹陥部４０が形成され、凹陥部４０の相対個所は前記棒状体３１・３４の長さにほゞ等しく離間する。例えば棒状体３１・３４の長さが５センチとすると、内外凹陥部４０の厚みは５ｃｍ程度のものとなり、その場合凹陥部４０を除くカーテン本体２０の膨隆時厚みは１０ｃｍ程度となるものであり、また結合部３０が溶着手段で形成されていると当然ながら内外凹陥部４０にフィルム以上の厚みは生じない。なお縦横の凹陥部４０同士の設置間隔は５０ｃｍ程度となり、設置場所の広さにもよるが、カーテン本体２０は一辺が数ｍ〜１０ｍ以上のものとなるので、凹陥部４０も多数列設されてカーテン本体２０は体操マット状の起伏を持つ膨隆体となる。【００１６】  図４はカーテン本体２０を温室５０に張設した例を示したもので、図では天井５１、側壁５２に設置してあるが、場合によりいずれか一方のみに配置することもできる。天井５１側のカーテン本体２０を傾斜状に形成すると、中央部直下にブロワー６０を取り付けできて都合がよい。ブロワー６０からカーテン本体２０内に気体が送られる仕組みであり、側壁５２側にカーテン本体２０を取り付ける場合、サブとしてのブロワー６０´を設置すると効果的である。ブロワー６０・６０′からカーテン本体５０への送気手段は一般的なもので特に目当たらしい構造ではないため詳細な説明は省略する。【００１７】  気体導入前のカーテン本体２０は内外のフィルム１０・１０が近接していて扁平形であるが、気体を取り込むことにより膨隆状となる。そして天井５１と側壁５２は内面側に配置されたカーテン本体２０が遮蔽物の役目をするため外部に室内温熱が逃げず、温室５０内は適温に保たれ、室内下部にある植物５３の育成に良好な環境が得られる。ブロワー６０によってカーテン本体２０に送られた気体はフィルム１０の微細孔１１から若干漏出するが、送気量に比し漏出する気体はごくわずかな量であるからカーテン本体２０の膨隆状態にいささかも影響はなく、却って微細孔１１が空気流通機能を発揮するため送気を停止したときに余分な水分滞留がカーテン本体２０内に生ぜず、膨隆状態から萎縮したときに内外フィルム１０・１０が密接しても相互が付着することはない。【００１８】  図５はカーテン本体２０を張設状態から折り畳んで天井５１、側壁５２の側を解放した例を示している。ブロワー６０の稼働を停止して送気を止めるとそれまで膨隆していたカーテン本体２０は空気が抜けて扁平状となり、温室５０の所定位置に片寄せされる。カーテン本体２０には凹陥部４０が形成されているためこの部分が収縮時に屈曲機能を発揮し、全体がアコーデオンのように折り畳みできる。そして張設状にするときも片寄せられたものが容易に引き出されるので、開閉いずれも確実迅速に操作できる。【００１９】  上記実施形態では微細孔１１等につき具体的数値を示したが、これらは参考例であって数値に拘束されるものてはなく、また内外のフィルム１０・１０の微細孔１１は例えば外側のフィルム（天井側では上部、側壁側では室外側に位置するフィルム）からの空気漏出は内側（天井側では下部、側壁側では室内側に位置するフィルム）のものよりも極端に少なくしてもよく、両フィルム１０・１０の孔径や孔数が異なっても何ら問題はなく、更に結合部３０の構成なども本発明の目的効果を逸脱しないかぎり図示したものに限定されないこと勿論である。
【図面の簡単な説明】
【００２０】
【図１】二枚のフィルムの説明図である。
【図２】結合部を設けたカーテン本体の説明図である。
【図３】膨隆したカーテン本体の説明図である。
【図４】温室にカーテン本体を張設した説明図である。
【図５】温室内のカーテン本体を収縮した説明図である。
【符号の説明】
【００２１】  １０  フィルム
１１  微細孔
２０  カーテン本体
３０  結合部
４０  凹陥部
５０  温室
【図１】
2010029166.tif 000003
【図２】
2010029166.tif 000004
【図３】
2010029166.tif 000005
【図４】
2010029166.tif 000006
【図５】
2010029166.tif 000007